(57)【要約】【課題】その厚さ方向に通る空気の流速が小さくなったり、通気孔に目詰まりが生じたり、或いは見栄えが悪くなるのを防止することができる通気性カーペットを提供する。【解決手段】複数のパイル３４で構成されるパイル層３６と、通気孔３８を有するバッキング層３２とを備え、通気孔３８の近傍にある複数のパイル３４の基部が、通気孔３８の内周面に固着されるようにした。【効果】通気性カーペットにおける、その厚さ方向に通る空気の流速が小さくなったり、通気孔に目詰まりが生じたり、見栄えが悪くなるのを防止することができる。【選択図】図１
2010148804.tif 000002
【特許請求の範囲】
【請求項１】
複数のパイルで構成されるパイル層と、通気孔を有するバッキング層とを備え、前記通気孔の近傍にある前記複数のパイルの基部が、前記通気孔の内周面に固着されていることを特徴とする通気性カーペット。
【請求項２】
複数のパイルで構成されるパイル層と、通気孔を有するバッキング層とを備え、前記通気孔の近傍にある前記複数のパイルの基部同士が固着されていることを特徴とする通気性カーペット。
【発明の詳細な説明】
【技術分野】
【０００１】
本発明は、その厚さ方向に空気が通るための通気孔を有する通気性カーペットに関するものである。
【背景技術】
【０００２】
従来の通気性カーペットとしては、例えば、図６に示すようなものがあった（第１の従来の通気性カーペット）。同図は、従来の通気性カーペット２が載置された通気性支持床４の一部を示す部分拡大断面図である。同図に示すように、通気性支持床４には、複数の通気孔６が形成されている（例えば、特許文献１参照）。
【０００３】
上記従来の通気性カーペット２は、カーペット層１２とバッキング層１０とで構成される２層構造になっている。この通気性カーペット２のカーペット層１２は、例えば、厚さ方向に通気性を有するシート材に、実質的にカーペットを構成するパイル（パイル繊維）を植毛したような状態のカーペットにより構成され、このようなカーペット層１２の上記シート材がバッキング層１０の上面に、部分的に塗布される接着剤により貼付けられている。これにより通気性カーペット２は、その厚さ方向に通気性を有するようにしていた。
【０００４】
通気性カーペット２のバッキング層１０は、粉砕して形成された異形の、粒径２ｍｍから５ｍｍ位の多数のウレタンゴムのチップを周りから押し固めて、予めそのチップの表面に塗布しておいたウレタン樹脂系のバインダーを加熱溶融させ、その溶融したバインダーを介して互いにチップ同士を付着させることにより、異形のチップ間に空隙ができるように形成したものである。
【０００５】
このような通気性カーペット２と、この通気性カーペット２が載置された通気性支持床４によれば、これらが敷設された部屋において、この通気性支持床４の下側の空間に連通する不図示のエアーダクト等を設置することにより、この不図示のエアーダクト等から送り出される温度等が調整された空気を、通気性支持床４の通気孔６及び通気性カーペット２のバッキング層１０の異形のチップ間とカーペット層１２の細い通気孔を通って、通気性カーペット２上の室内空間に空気を供給するような、室内空間の空調を行うことができるようになっていた。
【０００６】
また、図７は、上記第１の従来の通気性カーペット２とは異なる別の通気性カーペット１６（第２の従来の通気性カーペット）と、この通気性カーペット１６が載置された通気性支持床１８の一部を示す部分拡大断面図である。同図に示すように、通気性支持床１８には、やはり複数の通気孔２０が形成されている。
【０００７】
また、上記第２の従来の通気性カーペット１６は、ループパイル２３（パイル繊維）等により構成されたパイル層２４と、そのループパイル２３の基部を保持するバッキング層２２とで構成される、２層構造になっている。パイル層２４のループパイル２３のそれぞれは、そのバッキング層２２の上側に略逆Ｕ字状に露出している長さ部分における両端部それぞれの延長部分が、バッキング層２２の表層部に植え込まれることにより、ループ形状に起毛するようになっている。
【０００８】
このループパイル２３のそれぞれにおけるバッキング層２２の上側に露出する長さ部分の両下端部のそれぞれを、基部と呼ぶこととする。ループパイル２３の両下端部の基部のそれぞれは、その下側延長上のバッキング層２２に植え込まれている長さ部分を介して、互いに隣り合うループパイル２３の基部とバッキング層２２内で繋がっている。
【０００９】
このような通気性カーペット１６は、そのパイル層２４とバッキング層２２の両方を貫通して連通する、水平断面が丸孔形状の複数の通気孔２６が、水平面において互いに略等間隔をおいて配置されて形成されている。
【００１０】
このような通気性カーペット１６と、この通気性カーペット１６が上面に載置された通気性支持床１８によれば、上記した第１の従来の通気性カーペット２と通気性支持床４との組み合わせと同様に、これらが敷設された部屋において、この通気性支持床１８の下側の空間に連通する不図示のエアーダクト等を設置することにより、この不図示のエアーダクト等から送り出される温度等が調整された空気を、通気性支持床１８の通気孔２０及び通気性カーペット１６の通気孔２６を通して、やはり通気性カーペット１６上の室内空間に空気を供給するような、室内空間の空調を行うことができるようになっていた。
【特許文献１】特公平８−２９１２４号公報
【発明の開示】
【発明が解決しようとする課題】
【００１１】
しかしながら、上記第１の従来の通気性カーペット２においては、バッキング層１０における互いに付着したチップ間の微細な空隙を空気が通るようになっているため、この通気性カーペット２をその厚さ方向に空気が通る際の抵抗が大きいので、空調を行う場合の時間当りの空気流量が少ない（流速が小さい）ため、通気性カーペット２上の室内温度が設定温度に達するまでに長い時間がかかるという問題があった。
【００１２】
また、上記従来の通気性カーペット２においては、バッキング層１０のチップ間の空隙は目が細かいわずかなものであるため、小さなゴミでも目詰まりしたり、重量物を載せた際につぶれてしまったりするという問題があった。
【００１３】
また、上記第２の従来の通気性カーペット１６においては、複数の通気孔２６をパンチング加工により形成していたので、バッキング層２２の表層部に設けられているパイル層２４のループパイル２３が切断されてほつれ易いと共に、通気孔２６が目立って通気性カーペット１６の見栄えが悪くなるという問題があった。
【００１４】
そこで本発明は、上記問題点に鑑みて、その厚さ方向に通る空気の流速が小さくなったり、通気孔に目詰まりが生じたり、或いは見栄えが悪くなるのを防止することができる通気性カーペットを提供することを課題とするものである。
【課題を解決するための手段】
【００１５】
上記課題を解決するために、本発明による通気性カーペットは、
複数のパイルで構成されるパイル層と、通気孔を有するバッキング層とを備え、前記通気孔の近傍にある前記複数のパイルの基部が、前記通気孔の内周面に固着されていることを特徴とするものである。
【００１６】
また、上記課題を解決するために、本発明による通気性カーペットは、
複数のパイルで構成されるパイル層と、通気孔を有するバッキング層とを備え、前記通気孔の近傍にある前記複数のパイルの基部同士が固着されていることを特徴とするものである。
【発明の効果】
【００１７】
このような本発明の通気性カーペットによれば、
複数のパイルで構成されるパイル層と、通気孔を有するバッキング層とを備え、前記通気孔の近傍にある前記複数のパイルの基部が、前記通気孔の内周面に固着されていることにより、
その厚さ方向に通る空気の流速が小さくなったり、通気孔に目詰まりが生じたり、或いは見栄えが悪くなるのを防止することができる。
【００１８】
また、本発明の通気性カーペットによれば、
複数のパイルで構成されるパイル層と、通気孔を有するバッキング層とを備え、前記通気孔の近傍にある前記複数のパイルの基部同士が固着されていることにより、
やはり、その厚さ方向に通る空気の流速が小さくなったり、通気孔に目詰まりが生じたり、或いは見栄えが悪くなるのを防止することができる。
【発明を実施するための最良の形態】
【００１９】
以下、本発明に係る通気性カーペットを実施するための最良の形態について、図面に基づいて具体的に説明する。
図１から図５は、本発明の一実施の形態に係る通気性カーペット３０について説明するために参照する図である。
【００２０】
本実施の形態に係る通気性カーペット３０は、図１に示すように、塩化ビニール等により形成されたバッキング層３２と、パイル層３６とを備えた２層構造に構成されている。通気性カーペット３０のパイル層３６は、バッキング層３２から起毛する化学繊維素材の複数のループパイル３４により構成されている。
【００２１】
複数のループパイル３４のそれぞれは、そのバッキング層３２の外側に露出している長さ部分の両端部それぞれの延長部分が、バッキング層３２に植え込まれていることにより、ループ状に起毛している。
【００２２】
このループパイル３４のそれぞれにおけるバッキング層３２の上側に略逆Ｕ字状に露出する長さ部分の両下端部のそれぞれを、基部と呼ぶこととする。ループパイル３４の両下端部の基部のそれぞれは、その下側に延長するバッキング層３２に植え込まれている長さ部分を介して、互いに隣り合うループパイル３４の基部とバッキング層３２内で繋がっている。
【００２３】
また、通気性カーペット３０のバッキング層３２には、その厚さ方向に貫通する複数の通気孔３８が、水平面内において互いに略等間隔をおいて形成されている。通気性カーペット３０は、その通気孔３８の近傍にある複数のループパイル３４の基部、すなわち、通気孔３８の開口領域内に入り込む複数のループパイル３４の基部のそれぞれが、この通気孔３８の内部の深さ方向に入り込み、その内周面に固着されている。
【００２４】
このようなループパイル３４の基部の固着構造は、例えば、図２から図５に示すように、以下の手順により形成される。
【００２５】
まず、通気孔３８が形成される前の通気性カーペット３０は、図２に示すように、そのバッキング層３２が上側に配置されると共にパイル層３６が下側に配置された状態、すなわち通気性カーペット３０を裏返した状態で、不図示の作業テーブル上に載置されて固定される。
【００２６】
そして、この通気性カーペット３０におけるバッキング層３２のパイル層３６とは反対側の面には、その上方から下降して近付いてくる錐（きり）状の工具４０の先端部が、その鉛直方向に伸びる中心軸線回りに回転しながら、図３に示すように、バッキング層３２にほぼ垂直に押し当てられる。
【００２７】
工具４０は、その中心軸線回りに回転していることにより、その先端部が、通気性カーペット３０のバッキング層３２の上面と互いに擦れ合って摩擦熱を生じるようになる。工具４０は、その中心軸線回りの回転を継続しつつ、更に下降していくことにより、バッキング層３２との間に発生する摩擦熱を吸収して温度上昇しながら、図４に示すように、バッキング層３２を貫通することにより、通気孔３８を形成する。
【００２８】
工具４０は、その先端部がバッキング層３２を貫通したところで下降を停止する。この段階において、工具４０の先端部には、通気孔３８の近傍にあるループパイル３４の基部が接触している。これにより、この工具４０の先端部に接触するループパイル３４の基部は、工具４０が保有する熱が伝わって、工具４０に接触した部分が少し溶けた状態となって粘着性を生じるようになる。
【００２９】
工具４０は、このような状態から引き上げられ、図５に示すように、通気性カーペット３０のバッキング層３２から引き抜かれる。このとき、この工具４０の先端部に接触して粘着していたループパイル３４の基部は、工具４０の先端部と一緒に通気孔３８の中に引き込まれて、通気孔３８の内周面に付着し、そのまま固着される。
【００３０】
これにより、通気性カーペット３０は、図１に示すように、そのバッキング層３２に形成された通気孔３８の近傍にあるループパイル３４の基部のそれぞれが、通気孔３８の内周面に固着するようになっている。
【００３１】
このような本実施の形態に係る通気性カーペット３０によれば、複数の通気孔３８が形成されることにより、この通気性カーペット３０の厚さ方向に通る空気の流速が小さくなったり、この通気孔３８に目詰まりが生じるのを防止することができる。
【００３２】
また、本実施の形態に係る通気性カーペット３０によれば、通気孔３８の近傍にあるループパイル３４の基部が通気孔３８の中に引き込まれて、通気孔３８の内周面に固着されていることにより、図１に示すように、通気孔３８が形成されたパイル層３６の表層部分の状態が、通気孔３８が形成されていない他の領域部分のパイル層３６の状態とほぼ同様の状態に維持されるので、通気性カーペット３０のループパイル３４を図１中の上方から見たときでも通気孔３８が目立たなくなり、通気性カーペット３０の見栄えが悪くなるのを防止することができる。
【００３３】
また、本実施の形態に係る通気性カーペット３０によれば、その通気孔３８の近傍にあるループパイル３４の基部が、通気孔３８の内周面に固着されているので、通気孔３８の近傍にあるループパイル３４が通気孔３８の開口時の工具４０によりに切断されても、ループパイル３４がほつれてしまうのを防止することができる。
【００３４】
なお、本実施の形態に係る通気性カーペット３０は、そのバッキング層３２の通気孔３８が形成される過程において、錐状の工具４０がバッキング層３２との摩擦により熱を保有するようになっていたが、この工具４０を保持する不図示の装置等に、工具４０を直接加熱するヒーターや、工具４０が熱くなり過ぎるのを防止する冷却装置等を設けることにより、工具４０を適温に保つようになっていてもよい。
【００３５】
また、本実施の形態に係る通気性カーペット３０は、通気孔３８の近傍のループパイル３４の基部が通気孔３８の内周面に固着されるようになっていたが、通気孔３８の近傍の少し溶けた状態となったループパイル３４の基部同士が互いにからみ合って固着するようになっていてもよい。或いは、通気性カーペット３０は、その通気孔３８の近傍のループパイル３４の基部が、通気孔３８の内周面に固着されるものと、ループパイル３４の基部同士が互いに固着するものとが混在するようになっていてもよい。
【００３６】
また、通気孔３８の近傍のループパイル３４の基部同士が互いに固着するようにしたり、或いは、通気孔３８の内周面に固着するものと基部同士が互いに固着するものとが混在するようにしたりするには、例えば、上記した通気孔３８の形成過程において、工具４０の温度を適宜調整したり、図５に示すように、工具４０を通気性カーペット３０から引き抜くときの速度や、工具４０の回転速度等を適宜調整したりするようにしてもよい。
【００３７】
また、本実施の形態に係る通気性カーペット３０は、そのパイル層３６のループパイル３４の基部が、バッキング層３２内に埋込まれて延長する長さ部分を介して互いに隣り合うループパイル３４の基部と繋がるように構成されていたが、そのように繋がっていなくてもよい。
【００３８】
また、本実施の形態に係る通気性カーペット３０は、そのパイル層３６がループパイル３４だけで構成されていたが、パイル層３６は、ループパイル３４の他にも、ループ状になっていない、例えば直線状等のパイルを含んで構成されていてもよい。このようなループ状になっていないパイルは、その長さ方向の一方の端部（基部）の延長部分がバッキング層３２に植え込まれて構成されていることはいうまでもない。
【００３９】
また、本実施の形態に係る通気性カーペット３０は、そのパイル層３６のループパイル３４に化学繊維素材が用いられていたが、天然素材やその他の素材が用いられていてもよい。
【００４０】
また、本実施の形態に係る通気性カーペット３０は、その平面形状が特に限定されるものではないが、正方形又は長方形等のタイル状に形成し、通気性支持床の上面に並べて配置するようになっていてもよい。
【００４１】
また、本実施の形態に係る通気性カーペット３０は、特に特定の用途については記載されていなかったが、通気性カーペット３０は例えば、前記通気性支持床４，１８としての、フリーアクセスフロアパネルの上に敷設されるように用いてもよい。
【図面の簡単な説明】
【００４２】
【図１】本発明の一実施の形態に係る通気性カーペット３０を示す部分拡大断面図である。
【図２】図１に示す通気性カーペット３０の製造工程の一部を示す部分拡大断面図である。
【図３】図１に示す通気性カーペット３０の製造工程の一部を示す部分拡大断面図である。
【図４】図１に示す通気性カーペット３０の製造工程の一部を示す部分拡大断面図である。
【図５】図１に示す通気性カーペット３０の製造工程の一部を示す部分拡大断面図である。
【図６】第１の従来の通気性カーペット２、及び通気性支持床４を示す部分拡大断面図である。
【図７】第２の従来の通気性カーペット１６、及び通気性支持床１８を示す部分拡大断面図である。
【符号の説明】
【００４３】
２  通気性カーペット
４  通気性支持床
６  通気孔
１０  バッキング層
１２  カーペット層
１６  通気性カーペット
１８  通気性支持床
２０  通気孔
２２  バッキング層
２３  ループパイル
２４  カーペット層
２６  通気孔
３０  通気性カーペット
３２  バッキング層
３４  ループパイル
３６  パイル層
３８  通気孔
４０  工具
【図１】
2010148804.tif 000003
【図２】
2010148804.tif 000004
【図３】
2010148804.tif 000005
【図４】
2010148804.tif 000006
【図５】
2010148804.tif 000007
【図６】
2010148804.tif 000008
【図７】
2010148804.tif 000009